(57)【要約】【課題】鳴動区間を自由に設定可能とした携帯電話機および携帯電話機の着信メロディー再生方式を得る。【解決手段】制御部２が携帯電話機全体の動作を制御し、音源系制御部６が着信メロディーの駆動開始位置、鳴動時間、種類・曲目選択等の鳴動動作を制御する。メモリ７は、着信メロディーデータ他を格納した音源データを記憶し、操作部４は、着信メロディーの選択設定他、携帯電話の操作に係わる操作機能部である。表示部３は、メロディーの情報に係わるデータの他、着信先、送信先等の電話機能に関する各種のデータを表示し、スピーカ５は、受信音声の発生他、着信メロディーの発音を行う機能部である。本構成により、使用者が携帯電話のメモリ内にあらかじめ格納した着信メロディーに対し、その着信メロディーの鳴動する区間を自由に設定することを可能とする。【選択図】　　　　図１
2004023298.tif 000002
【特許請求の範囲】
【請求項１】
携帯電話機の動作を制御する制御部と、
着信メロディーの駆動開始位置、鳴動時間、種類・曲目選択等の鳴動動作を制御する音源系制御部と、
音源データを記憶する記憶部である着信メロディーデータを格納したメモリと、
受信音声の発生および着信メロディーの発音を行う機能部であるスピーカとを備え、
前記着信メロディーの駆動開始位置を任意に設定可能としたことを特徴とする携帯電話機。
【請求項２】
前記着信メロディーの情報に係わるデータの他、着信先、送信先等の電話機能に関する各種のデータを表示する表示部と、
着信メロディーの選択設定他、携帯電話の操作に係わる操作機能部である操作部とをさらに備えたことを特徴とする請求項１記載の携帯電話機。
【請求項３】
前記制御部と前記音源系制御部とを一体として、同一の制御機能部として構成したことを特徴とする請求項１または２のいずれか１項に記載の携帯電話機。
【請求項４】
前記メモリに格納した着信メロディーデータは、音符を構成するデータと、付随データとしての鳴動開始点と鳴動折返し点を示すデータを有して構成されたことを特徴とする請求項１から３のいずれか１項に記載の携帯電話機。
【請求項５】
制御部が携帯電話機の動作を制御し、
音源系制御部が着信メロディーの駆動開始位置、鳴動時間、種類・曲目選択等の鳴動動作を制御し、
メモリが着信メロディーデータを格納し、
発音機能部が前記着信メロディーの発音を行い、該着信メロディーの駆動開始位置を任意に設定可能としたことを特徴とする携帯電話機の着信メロディー再生方式。
【請求項６】
前記着信メロディーデータは、音符を構成するデータと、付随データとしての鳴動開始点と鳴動折返し点を示すデータとを有して構成されたことを特徴とする請求項５記載の携帯電話機の着信メロディー再生方式。
【発明の詳細な説明】
【０００１】
【発明の属する技術分野】
本発明は、携帯電話機および携帯電話機の着信メロディー再生方式に関し、特に、演奏フレームを自由に設定可能とした携帯電話機および携帯電話機の着信メロディー再生方式に関する。
【０００２】
【従来の技術】
従来一般に、携帯電話機および携帯電話機の着信メロディー再生方式は、着信音として着信メロディーを選択して設定可能とされている。本機能を搭載した従来の携帯電話機においては、着信が行われていることを使用者に対して知らせるため、着信ＬＥＤを点滅発光させたり、着信音を鳴動させたり、バイブモータを振動させるなどの方法がとられてきた。
【０００３】
その中でも着信音の鳴動に関しては、携帯電話実用化初期の頃の単調な繰り返し音だけでなく、選択設定したメロディーを奏でることが可能な携帯電話機が大半を占めるようになっている。
【０００４】
本発明と技術分野の類似する先願発明例１として、実用新案登録第３０７６０３７号公報の「携帯電話用発声装置」は、携帯電話が着信した事実を指定した言葉（セリフ）で携帯者に知らせたり、着信者名、着信時間等を読み上げることができ、また、着信回数の多い順にランク付けが可能となる携帯アクセサリータイプの携帯電話用発声装置について開示している。
【０００５】
また、先願発明例２の特開２００１−３４５８８４号公報の「通信端末の着信音再生方法及び通信端末装置」では、再生機能部に用意された音楽又は音声を再生させているときに、所定の局からの着信時があったとき、所定区間のデータによる着信音以外に第２の着信音（例えばＲＯＭ１３６に用意された電子音）を出力させるようにしている。
【０００６】
【発明が解決しようとする課題】
しかしながら、上記従来技術では、最初から携帯電話機のメモリに格納されている着信メロディーにせよ外部からダウンロードした着信メロディーにせよ、鳴動方法は、着信メロディーの最初から演奏することになっている。よって、この方法では使用者が所望の着信メロディーを着信音に設定しても多くの場合、着信して数秒でオフフックキーを押下する。このため、曲の出だし部分を聞くこととなり、長いメロディーであれば途中に有る音節を着信時の限られた時間内には聞くことができない問題点を伴う。なお、上記先願発明例１および２は、着信先の峻別に関する技術であり、上に掲げた問題を解決するものではない。
【０００７】
本発明は、鳴動区間を自由に設定可能とした携帯電話機および携帯電話機の着信メロディー再生方式を提供することを目的とする。
【０００８】
【課題を解決するための手段】
かかる目的を達成するため、請求項１記載の発明の携帯電話機は、携帯電話機の動作を制御する制御部と、着信メロディーの駆動開始位置、鳴動時間、種類・曲目選択等の鳴動動作を制御する音源系制御部と、音源データを記憶する記憶部である着信メロディーデータを格納したメモリと、受信音声の発生および着信メロディーの発音を行う機能部であるスピーカとを備え、着信メロディーの駆動開始位置を任意に設定可能としたことを特徴としている。
【０００９】
さらに、上記の着信メロディーの情報に係わるデータの他、着信先、送信先等の電話機能に関する各種のデータを表示する表示部と、着信メロディーの選択設定他、携帯電話の操作に係わる操作機能部である操作部とを備えるとよい。
【００１０】
また、上記の制御部と音源系制御部とを一体として、同一の制御機能部として構成し、メモリに格納した着信メロディーデータは、音符を構成するデータと、付随データとしての鳴動開始点と鳴動折返し点を示すデータを有して構成するとよい。
【００１１】
請求項５記載の発明の携帯電話機の着信メロディー再生方式は、制御部が携帯電話機の動作を制御し、音源系制御部が着信メロディーの駆動開始位置、鳴動時間、種類・曲目選択等の鳴動動作を制御し、メモリが着信メロディーデータを格納し、発音機能部が着信メロディーの発音を行い、該着信メロディーの駆動開始位置を任意に設定可能としたことを特徴としている。
【００１２】
また、上記着信メロディーデータは、音符を構成するデータと、付随データとしての鳴動開始点と鳴動折返し点を示すデータとを有して構成されるとよい。
【００１３】
【発明の実施の形態】
次に、添付図面を参照して本発明による携帯電話機および携帯電話機の着信メロディー再生方式の実施の形態を詳細に説明する。図１から図４を参照すると、本発明の携帯電話機および携帯電話機の着信メロディー再生方式の一実施形態が示されている。
【００１４】
（特徴）
本発明による、携帯電話機および携帯電話機の着信メロディー再生方式は、使用者が携帯電話のメモリ内にあらかじめ格納した着信メロディーに対し、その着信メロディーの鳴動する区間を自由に設定することを可能とするものである。
【００１５】
図２は、着信メロディーデータの形式例を表している。本図２に示すとおり、着信メロディーデータの先頭に初期設定してある鳴動開始点と最後尾に初期設定してある鳴動折返し点を、使用者が任意の箇所に移動設定させることにより、着信メロディーを希望する区間のみ鳴動させる。
【００１６】
（構成例）
図１は、本発明の携帯電話機および携帯電話機の着信メロディー再生方式の実施形態が適用される携帯電話機のブロック構成図である。本図１を参照すると、本発明における携帯電話機１は、制御部２、音源系制御部６、着信メロディーデータ他を格納したメモリ７、表示部３、操作部４、スピーカ５を有している。
制御部２は、携帯電話機全体の動作を制御する。
音源系制御部６は、着信メロディーの駆動開始位置、鳴動時間、種類・曲目選択等の鳴動動作を制御する。
【００１７】
着信メロディーデータ他を格納したメモリ７は、音源データを記憶する記憶部である。
表示部３は、メロディーの情報に係わるデータの他、着信先、送信先等の電話機能に関する各種のデータを表示する。
操作部４は、着信メロディーの選択設定他、携帯電話の操作に係わる操作機能部である。
スピーカ５は、受信音声の発生他。着信メロディーの発音を行う機能部である。
【００１８】
なお、これら各構成部品の基本的機能そのものとしては、従来の携帯電話機と変わりが無くてもよい。本発明の構成上の特徴としては、制御部２内に音源系制御部６を新たに設けたことと、メモリ７に着信メローディー、電話帳、発着信履歴、各種設定、等の記憶領域を設けたことにある。
【００１９】
次に、着信メロディーのデータ形式について説明する。図２は、着信メロディーデータの形式例を表すものである。メモリ内に格納されている着信メロディーデータは、音階データ２２、音量データ２３、長さデータ２４がひとつの音符を構成している。この音符を、先頭から順番に鳴動させることでひとつのメロディーとしているのである。また、本発明における着信メロディーデータの特徴として、鳴動開始点２５と鳴動折返し点２６を示すデータが付随している。通常使用者が着信メロディーに対して何も設定していない場合（鳴動区間非設定時）２１では、鳴動開始点はメロディーデータの先頭に、鳴動折返し点は最後尾に設定してある。
【００２０】
（動作例）
次に携帯電話機の着信メロディー設定方法と着信時の動作例について、図を参照して説明する。図３は、本実施形態に適用される携帯電話機の操作面の構成例を示す図である。本図３を参照すると、携帯電話機３１の表示部３２と操作部３３が示されている。使用者は、鳴動区間の設定をしたい着信メロディーをメニュー操作によって選択し、音符がカタカナ表示された画面を参照しながら鳴動開始点マーク３５と鳴動折返し点マーク３６を任意の箇所に移動設定するのである。このように鳴動区間が変更された着信メロディーデータは図２の鳴動区間設定時２７に示すように鳴動開始点データと鳴動折返し点データが使用者の所望の箇所へ移動設定される。
【００２１】
図４は、実施形態に適用される動作手順例を示すフローチャートである。本図４の着信時のフローチャートを参照すると、携帯電話が着信（ステップ４２）すると、制御部は予め携帯電話に使用者が設定している着信メロディーのデータをメモリから読み出し（ステップ４３）、音源系制御部へ送る。音源系制御部は、設定してある演奏開始点以降から折返し点までを鳴動させる（ステップ４４）。
【００２２】
その間に着信が途切れれば鳴動をＯＦＦし（ステップ５０）、再び着信を待ち受ける。また、使用者がオフフックすれば鳴動をＯＦＦし（ステップ４７）、通話状態とする（ステップ４８）。通話が終了すれば（ステップ４９）、再び着信を待ち受ける。
【００２３】
（実施例の効果）
第１の効果は、現状の携帯電話機の構成でも、上記に説明した機能部を新たに構成することにより、この着信メロディー設定方法が可能となることである。その理由は、制御ソフトによる設定方法であるため、ハードを変更する必要が全く無いからである。
【００２４】
第２の効果は、外部からダウンロードする着信メロディーでも、最初から携帯電話機に格納された着信メロディーと同様に鳴動区間を設定できることである。その理由は、着信データを保存する側である携帯電話機の保存形式のみの変更で足りるためである。
【００２５】
第３の効果は、鳴動区間を設定するしないにかかわらずソフト処理の負荷が変わらないことである。その理由は、鳴動区間を設定したメロディーデータと設定していないメロディーデータで違うのは、開始点データと折返し点データの位置のみであり、このため着信メロディーのデータ量に変化が無いためである。
【００２６】
（他の実施例）
次に、本発明の他の実施例について説明する。
図３において、着信メロディーの鳴動区間を設定する一例として表示部に着信メロディーの音符をカタカナ表示させる方法を提示したが、カタカナ表示させたものでは曲のイメージがつかみ難いため、別の設定方法を提示する。
【００２７】
まず表示部には使用者がメニューを操作して所望の着信メロディーの題名を表示させておき、当該メロディーをスピーカから鳴動させる。使用者は開始点／折返し点としたい箇所が鳴動するタイミングに設定キーを押下することにより、同様に開始点／折返し点データが着信メロディーデータ内で移動、鳴動区間の設定を行うものである。
【００２８】
なお、上述の実施形態は本発明の好適な実施の一例である。ただし、これに限定されるものではなく、本発明の要旨を逸脱しない範囲内において種々変形実施が可能である。
【００２９】
【発明の効果】
以上の説明より明らかなように、本発明の携帯電話機および携帯電話機の着信メロディー再生方式は、着信メロディーの駆動開始位置を制御し、音源データを記憶し、着信メロディーの駆動開始位置を任意に設定可能としている。これにより、着信メロディーの鳴動する区間を自由に設定することができる。
【図面の簡単な説明】
【図１】本発明の携帯電話機および携帯電話機の着信メロディー再生方式の実施形態が適用される携帯電話機のブロック構成図である。
【図２】着信メロディーデータの形式例を表す図である。
【図３】携帯電話機の操作面の構成例を示す図である。
【図４】実施形態に適用される動作手順例を示すフローチャートである。
【符号の説明】
１　携帯電話機
２　制御部
３　表示部
４　操作部
５　スピーカ
６　音源系制御部
７　メモリ
２２　音階データ
２３　音量データ
２４　長さデータ
２５　鳴動開始点
２６　鳴動折返し点
２７　鳴動区間設定時
３１　携帯電話機
３２　表示部
３３　操作部
３４　着信メロディーデータのカタカナ表示
３５　鳴動開始点マーク
３６　鳴動折返し点マーク
【図１】
2004023298.tif 000003
【図２】
2004023298.tif 000004
【図３】
2004023298.tif 000005
【図４】
2004023298.tif 000006